(57)【特許請求の範囲】
【請求項１】
フレームデータが不連続的に伝送される専用チャネルで外部循環電力制御を行う方法において、
基地局から端末機に伝送される電力制御ビット(ＰＣＢ)の信号対雑音比(ＳＮＲ)をフレームデータ非伝送区間で測定する過程と、
前記測定ＳＮＲから前記フレームにエラーが存在するか否かを判断する過程と、
前記フレームにエラーが存在する場合は閉循環電力制御臨界値を増加させ、前記フレームにエラーが存在しない場合には前記臨界値を減少させる過程とを備えることを特徴とする外部循環電力制御方法。
【請求項２】
前記ＳＮＲ測定過程が、
前記ＰＣＢのＳＮＲを計算する段階と、
前記ＳＮＲにエラー補償のためのオフセット値を加算して最終のＳＮＲを得る段階とを備えることを特徴とする請求項１に記載の外部循環電力制御方法。
【請求項３】
前記フレームエラー判断過程が、
前記測定ＳＮＲに対応するフレームエラー率(ＦＥＲ)を含むルックアップテーブルから前記ＰＣＢのＳＮＲに対するＦＥＲを検出する段階と、
ランダム係数を発生させる段階と、
前記ランダム係数とＦＥＲのサイズに応じてフレームエラーが発生するか否かを判断する段階とを備えることを特徴とする請求項２に記載の外部循環電力制御方法。
【請求項４】
前記ランダム係数は０と１の間の値であることを特徴とする請求項３に記載の外部循環電力制御方法。
【請求項５】
前記フレームエラー判断過程でフレームエラーが前記測定ＳＮＲと既設定ターゲットＦＥＲに対する臨界値に応じて決められることを特徴とする請求項１に記載の外部循環電力制御方法。
【請求項６】
前記フレームエラー判断過程が、
前記測定ＳＮＲと第１臨界値を比較する過程と、
前記測定ＳＮＲが前記第１臨界値より小さい場合、前記第１臨界値より小さい測定ＳＮＲを計数する過程と、
全てのＳＮＲが一つのフレームで測定されるか否かを判断する過程と、
前記計数値と第２臨界値のサイズに応じてフレームエラーが発生するか否かを判断する過程とを備えることを特徴とする請求項１に記載の外部循環電力制御方法。
【請求項７】
フレームデータが不連続的に伝送される専用チャネルで外部循環電力制御を行う方法において、
端末機から基地局に伝送されるパイロットチャネル信号のＳＮＲをフレームデータ非伝送区間で測定する過程と、
前記測定ＳＮＲから前記フレームにエラーが存在するか否かを判断する過程と、
前記フレームにエラーが存在する場合は閉循環電力制御臨界値を増加させ、前記フレームにエラーが存在しない場合には前記臨界値を減少させる過程とを備えることを特徴とする外部循環電力制御方法。
【請求項８】
前記ＳＮＲ測定過程が、
前記パイロットチャネル信号のＳＮＲを計算する段階と、
前記ＳＮＲにエラー補償のためのオフセット値を加算して最終のＳＮＲを得る段階とを備えることを特徴とする請求項７に記載の外部循環電力制御方法。
【請求項９】
前記フレームエラー判断過程が、
前記測定ＳＮＲに対応するＦＥＲを含むルックアップテーブルから前記パイロットチャネル信号のＳＮＲに対するＦＥＲを検出する段階と、
ランダム係数を発生させる段階と、
前記ランダム係数とＦＥＲのサイズに応じてフレームエラーが発生するか否かを判断する段階とを備えることを特徴とする請求項７に記載の外部循環電力制御方法。
【請求項１０】
前記ランダム係数は０と１の間の値であることを特徴とする請求項９に記載の外部循環電力制御方法。
【請求項１１】
前記フレームエラー判断過程でフレームエラーが前記測定ＳＮＲと既設定ターゲットＦＥＲに対する臨界値に応じて決められることを特徴とする請求項７に記載の外部循環電力制御方法。
【請求項１２】
前記フレームエラー判断過程が、
前記測定ＳＮＲと第１臨界値を比較する過程と、
前記測定ＳＮＲが前記第１臨界値より小さい場合、前記第１臨界値より小さい測定ＳＮＲを計数する過程と、
全てのＳＮＲが一つのフレームで測定されるか否かを判断する過程と、
前記計数値と第２臨界値のサイズに応じてフレームエラーが発生するか否かを判断する過程とを備えることを特徴とする請求項７に記載の外部循環電力制御方法。
【請求項１３】
フレームデータが不連続的に伝送される専用チャネルで外部循環電力制御を行う装置において、
基地局から端末機に伝送されるＰＣＢのＳＮＲをフレームデータ非伝送区間で測定するＳＮＲ測定器と、
前記測定ＳＮＲから前記フレームにエラーが存在するか否かを判断し、その結果に応じてフレームエラーインジケータを出力するフレームエラー検出器と、
前記フレームエラーインジケータに応じて閉循環電力制御臨界値を調節する外部循環電力制御器とを備えることを特徴とする外部循環電力制御装置。
【請求項１４】
前記フレームエラー検出器が、
ＳＮＲに対応するＦＥＲを有するルックアップテーブルを貯蔵するルックアップテーブル貯蔵部と、
前記測定ＳＮＲを受信し、前記ルックアップテーブルから該当するＦＥＲを検出して前記該当ＦＥＲに応じてフレームエラーが存在するか否かを判断するフレームエラー推定器とを備えることを特徴とする請求項１３に記載の外部循環電力制御装置。
【請求項１５】
任意の乱数値を発生して前記フレームエラー推定器に提供する乱数発生器をさらに備えることを特徴とする請求項１４に記載の外部循環電力制御装置。
【請求項１６】
前記フレームエラー推定器が前記任意の乱数値を受信した後、前記乱数値を前記ＦＥＲと比較して前記乱数値が前記ＦＥＲより小さいときはフレームエラーが発生すると判断することを特徴とする請求項１５に記載の外部循環電力制御装置。
【請求項１７】
フレームエラーの存在有無に応じて前記フレームエラーインジケータ又はＣＲＣ検出器から出力されるＣＲＣエラー検査結果値のうち、一つを選択して前記外部循環電力制御器に出力するスイッチをさらに備えることを特徴とする請求項１３に記載の外部循環電力制御装置。
【請求項１８】
フレームデータが不連続的に伝送される専用チャネルで外部循環電力制御を行う装置において、
基地局から端末機に伝送されるパイロットチャネル信号のＳＮＲをフレームデータ非伝送区間で測定するＳＮＲ測定器と、
前記測定ＳＮＲから前記フレームにエラーが存在するか否かを判断し、その結果に応じてフレームエラーインジケータを出力するフレームエラー検出器と、
前記フレームエラーインジケータに応じて閉循環電力制御臨界値を調節する外部循環電力制御器とを備えることを特徴とする外部循環電力制御装置。
【請求項１９】
前記フレームエラー検出器が、
ＳＮＲに対応するＦＥＲを有するルックアップテーブルを貯蔵するルックアップテーブル貯蔵部と、
前記測定ＳＮＲを受信し、前記ルックアップテーブルから該当するＦＥＲを検出して前記該当ＦＥＲに応じてフレームエラーが存在するか否かを判断するフレームエラー推定器とを備えることを特徴とする請求項１８に記載の外部循環電力制御装置。
【請求項２０】
任意の乱数値を発生して前記フレームエラー推定器に提供する乱数発生器をさらに備えることを特徴とする請求項１９に記載の外部循環電力制御装置。
【請求項２１】
前記フレームエラー推定器が前記任意の乱数値を受信した後、前記乱数値を前記ＦＥＲと比較して前記乱数値が前記ＦＥＲより小さいときはフレームエラーが発生すると判断することを特徴とする請求項２０に記載の外部循環電力制御装置。
【請求項２２】
フレームエラーの存在有無に応じて前記フレームエラーインジケータ又はＣＲＣ検出器から出力されるＣＲＣエラー検査結果値のうち、一つを選択して前記外部循環電力制御器に出力するスイッチをさらに備えることを特徴とする請求項１８に記載の外部循環電力制御装置。
【請求項２３】
フレームデータが不連続的に伝送される専用制御チャネル(ＤＣＣＨ)で外部循環電力制御を行う方法において、
基地局から端末機に伝送されるＰＣＢのＳＮＲをフレームデータ非伝送区間で測定する過程と、
前記測定ＳＮＲから前記フレームにエラーが存在するか否かを判断する過程と、
前記判断に応じて閉循環電力制御臨界値を制御する過程とを備えることを特徴とする外部循環電力制御方法。
【請求項２４】
前記フレームエラーが存在する場合、前記閉循環電力制御値を増加させることを特徴とする請求項２３に記載の外部循環電力制御方法。
【請求項２５】
前記フレームエラーが存在しない場合、前記閉循環電力制御値を減少させることを特徴とする請求項２３に記載の外部循環電力制御方法。
【請求項２６】
前記フレームエラー検出器が前記測定ＳＮＲと所定の臨界値に応じてフレームエラーが発生するか否かを判断することを特徴とする請求項１３に記載の外部循環電力制御装置。
【請求項２７】
前記フレームエラー検出器が第１臨界値より小さい測定ＳＮＲをフレームの単位で計数した後、前記計数値が第２臨界値より大きい場合、フレームエラーが発生すると判断することを特徴とする請求項１３に記載の外部循環電力制御装置。
【発明の詳細な説明】
【０００１】
【発明の属する技術分野】
本発明は符号分割多重接続(Code Division Multiple Access：ＣＤＭＡ)移動通信システムの不連続伝送モードにおける連続外部循環電力制御装置及びその方法に係り、特に、フレームデータの伝送区間のみならず、フレームデータの非伝送区間でも外部循環電力制御を行う外部循環電力制御装置及びその方法に関する。
【０００２】
【従来の技術】
米国型ＩＭＴ−２０００標準化案であるＩＳ−９５Ｃでパケット伝送のための方法にはトラフィックチャネル及び付加チャネルを用いるＰ１オプション、トラフィックチャネル及び専用共通制御チャネル(Dedicated Common Control Channel：ＤＣＣＨ)を用いるＰ２オプション、トラフィックチャネル、ＤＣＣＨチャネル及び付加チャネルを用いるＰ３オプションがある。トラフィックチャネル及びＤＣＣＨチャネルではパケットに対する制御情報とシグナリングメッセージ(signaling message)が伝送され、付加チャネルではパケットデータが伝送される。この際、前記制御情報とシグナリングメッセージは常時存在せず、不連続的に存在する。前記基本トラフィックチャネルは制御情報とシグナリングメッセージが存在しなければ、空(null)トラフィックを伝送するが、ＤＣＣＨは順方向リンクでは電力制御ビット(power control bit：ＰＣＢ)を伝送し、逆方向リンクではパイロットシンボル及びＰＣＢを伝送する。前記ＤＣＣＨのモードとは伝送するフレームデータが存在しないとき、空フレームのみを伝送する不連続伝送(ＤＴＸ)モードをいう。前記基本トラフィックチャネル及び専用制御チャネル(ＤＣＣＨ)は専用チャネルである。言い換えれば、特定の使用者にトラフィック区間でチャネルを割り当てる専用チャネルである。
【０００３】
前記ＤＴＸモードでは外部循環(outer-loop)電力制御及び閉循環(closed-Loop)電力制御を使用する。前記閉循環電力制御はフレームの単位で固定臨界値を用いて各電力制御グループ(ＰＣＧ)の電力を制御することをいう。一方、前記外部循環電力制御はデータのフレームエラー発生有無に応じて前記閉循環電力制御を行うために設定される臨界値を変化させる。具体的に、前記フレームエラーの発生有無に応じて臨界値を一定のレベルに増加又は減少させる。閉循環電力制御器は前記変更臨界値を用いて閉循環電力制御を行う。前記外部循環電力制御と閉循環電力制御を同時に使用する場合、ＤＴＸモードではフレームの存在時は外部循環電力制御により決められる臨界値を用いて閉循環電力制御を行い、フレームの不在時は既存の臨界値を用いて閉循環電力制御を行う。
【０００４】
以下、外部循環電力制御と閉循環電力制御を行う通信システムのＤＴＸモードにおける電力制御のための構成及びその構成による動作を説明する。
図１Ａは一般的なＣＤＭＡ移動通信システムの順方向送信機の構造を示した図である。図１Ａを参照してＤＴＸモードにおける電力制御ビット(ＰＣＢ)の挿入動作を説明する。
【０００５】
制御メッセージバッファ１１１は専用制御チャネル(ＤＣＣＨ)を通して制御メッセージを送信するとき、送信制御メッセージを一時的に貯蔵するメモリである。前記制御メッセージバッファ１１１の容量は一つ又はそれ以上のフレームを貯蔵するように設定することができる。前記制御メッセージバッファ１１１は上位のプロセッサとモデム制御器１１３の間の制御メッセージをインターフェースする。この際、前記上位のプロセッサは前記制御メッセージバッファ１１１のメッセージ形態に応じてフレームを区分するヘッダー情報を付加した制御メッセージを前記制御メッセージバッファ１１１に貯蔵した後、表示する。前記モデム制御器１１３は前記メッセージバッファ１１１からの制御メッセージを読み出した後、表示する。これにより、前記上位のプロセッサとモデム制御器１１３はオーバーライト及びオーバーリードを防止する。
【０００６】
前記制御メッセージバッファ１１１から制御メッセージを読み出した後、前記モデム制御器１１３は前記制御メッセージのヘッダーを分析してメッセージ形態を判断した後、その判断結果に応じてＤＣＣＨを通して伝送すべきメッセージ(payload)を出力するとともに、該当制御信号を出力する。通常、前記制御メッセージは前記分析結果に応じて５ｍｓ又は２０ｍｓの制御メッセージとなる。次の説明では５又は２０ｍｓの制御メッセージを区分しない。前記モデム制御器１１３は伝送する制御メッセージの存在時は第１利得制御信号を発生し、制御メッセージの不在時はＤＣＣＨで送信される信号を遮断するための第２利得制御信号を発生する。前記利得制御信号はＤＣＣＨの送信電力を制御するための信号となる。かつ、乗算機１２５は拡散器の前端に位置するが、拡散器の後端に位置しても同一の効果が得られる。
【０００７】
ＣＲＣ(Cyclic Redundancy Check)発生器１１５は受信側でフレームの品質(エラー発生有無)を判断するように前記モデム制御器１１３から出力される制御メッセージにＣＲＣを付加する機能を行う。この際、前記ＣＲＣ発生器１１５は前記モデム制御器１１３の制御下で制御メッセージを出力する。通常、５ｍｓフレームの場合は１６ビットのＣＲＣを生成して４０ビットの制御メッセージを出力し、２０ｍｓフレームの場合は１２ビットのＣＲＣを生成して１８４ビットの制御メッセージを出力する。
【０００８】
テールビット発生器１１７はエラー訂正符号の終結のために前記ＣＲＣ発生器１１５の出力を分析して対応するテールビットを生成した後、前記出力に付加する。ここで、前記テールビット発生器１１７は８ビットのテールビットを生成する。
符号器１１９は前記テールビット発生器１１７の出力を入力して１／３の符号化率で符号化する。前記符号器１１９としては畳み込み符号器又はターボ符号器を使用することができる。インターリーバー１２１はフレームの単位で前記符号器１１９から出力される符号化シンボルのビット配列を変更させてバーストエラーからデータを保護する。
【０００９】
ここで、前記ＣＲＣ発生器１１５、テールビット発生器１１７、符号器１１９及びインターリーバー１２１は制御メッセージを発生して物理チャネルで伝送するための制御メッセージ発生器１５０を構成する。図１Ａは制御メッセージ発生器１５０がフレームの制御メッセージを処理する構成を例示している。しかしながら、ＤＣＣＨで処理する制御メッセージのフレーム長さに対応する数だけの制御メッセージ発生器を備え、モデム制御器１１３が伝送するためのフレーム長さに対応する制御メッセージ発生器を選択して制御メッセージを発生することもできる。この場合、各制御メッセージ発生器は前記制御メッセージのフレーム長さによるＣＲＣ発生器、テールビット発生器、符号器及びインターリーバーなどを備えるべきである。
【００１０】
信号変換器１２３は伝送信号を変換するが、１は−１に、０は１にそれぞれ変換する。利得乗算機１２５は前記モデム制御器１１３から出力される利得制御信号に応じてＤＣＣＨの制御メッセージの送信経路を形成するか、遮断する機能を行う。
電力制御ビット(ＰＣＢ)挿入器１２９は前記乗算機１２５から出力される信号に電力制御ビットを挿入する。Ｓ／Ｐ(serial-to-parallel)変換器１２７は前記ＰＣＢ挿入器１２９から出力される制御メッセージのシンボルを多重化して対応するキャリア拡散器に分配する。ここでは、三つのキャリアを使用する場合を例示する。前記三つのキャリアを使用する場合、三つのキャリア周波数と各キャリアの二つの位相(Ｉ及びＱチャネル)による六つのチャネルが存在する。前記電力制御ビット(ＰＣＢ)は移動局の逆方向リンク電力を制御するために用いられる。
【００１１】
図１Ｂは前記ＰＣＢ挿入器１２９から出力されるシンボルを拡散する拡散器の構造を示した図であり、順方向リンクの送信機は拡散器をキャリアの数だけ備える。例えば、図１Ａに示した順方向リンクの送信機は三つの拡散器を備える。
図１Ｂを参照すれば、直交符号発生器１３５は専用制御チャネルに使用するための直交符号を発生する。ここで、前記直交符号にはWalsh符号又は準直交符号が用いられる。乗算機１３１，１３３は前記直交符号発生器１３５から出力される直交符号と対応するＩチャネル及びＱチャネルの信号を混合して順方向リンクのＤＣＣＨの制御信号として拡散出力する。
【００１２】
変調器１３７は拡散シーケンス発生器(図示せず)から出力されるＰＮ符号(ＰＮｉ，ＰＮｑ)と前記乗算機１３１，１３３から出力されるＩチャネル及びＱチャネルの拡散信号をＰＮ拡散する。前記変調器１３７としては複素乗算機を使用することができる。
前記モデム制御器１１３はＤＣＣＨの送信をＤＴＸモードで制御する。すなわち、前記モデム制御器１１３はＤＣＣＨを通して送受信されるデータサービスのための信号及びＭＡＣ関連メッセージの容量に応じてＤＴＸモード制御を行うことにより、チャネルの容量を効率よく使用することができる。前記ＩＳ−９５方式では音声トラフィックと信号トラフィックが多重化するため、データサービスのためには音声及び信号チャネルを常時開放すべきである。しかしながら、前記ＤＣＣＨはＤＴＸモードで動作するため、制御信号のために常時チャネルを開放する必要はない。伝送する信号情報が存在しない場合は前記モデム制御器１１３のようなＤＴＸ利得制御部で出力電力を抑制して無線資源を効率よく使用することができる。
【００１３】
上述した実施形態は多重搬送波方式を使用する３ｘシステムに対することであるが、１ｘ又は３ｘＤＳシステムの送信機にも適用することができる。ここでは、１ｘ又は３ｘＤＳシステムに対する説明を省略する。
図２は従来のＣＤＭＡ移動通信システムのＤＴＸモードにおける逆方向リンク送信機の構成を示した図である。図２に示したように、逆方向リンク送信機の構成は順方向リンク送信機の構成と類似している。したがって、順方向リンク送信機と同一の構成に対する説明は省略する。
【００１４】
直交拡散器２０７はWalsh符号を生成する。第１乗算機２０９は信号変換器２０５から出力される伝送信号と前記直交拡散器２０７から出力されるWalsh符号を乗算する。利得乗算機２２１はメッセージの利得値を出力するか、伝送するメッセージの不在時は前記モデム制御器２０３から利得制御信号０を受信してデータを伝送せず、伝送するメッセージの存在時は利得制御信号１を受信してデータを伝送する。合算機２２３は前記利得乗算機２２１から出力される伝送信号とパイロット／ＰＣＢチャネル信号を合算してＤＣＣＨ信号を構成する。ＰＮ拡散器２２５は前記ＤＣＣＨ信号を複素ＰＮ拡散する。
【００１５】
順方向のＤＣＣＨを通して送信されるＰＣＢ及び逆方向のパイロットチャネルを用いて外部循環電力制御及び閉循環電力制御を行う順方向及び逆方向リンク受信機の構成及び動作を図３及び図４を参照して説明する。
図３は従来のＣＤＭＡ移動通信システムのＤＴＸモードにおける逆方向リンク受信機の構成を示した図である。
【００１６】
図３を参照すれば、第１逆拡散器３０１は受信信号をＰＮ逆拡散するＰＮ逆拡散器である。第２逆拡散器３０３はＤＣＣＨWalsh逆拡散器であり、前記第１逆拡散器３０１から出力される受信信号のうち、ＤＣＣＨ信号をWalsh符号で逆拡散する。チャネル推定器３０５は前記第１逆拡散器３０１から出力されるＰＮ逆拡散信号に含まれているパイロットチャネルを用いてチャネルのフェーディング成分を検出する。第３逆拡散器３０７は前記第１逆拡散器３０１から出力される受信信号のうち、パイロットチャネル信号をWalsh符号で逆拡散する。
【００１７】
乗算機３１４は前記チャネル推定器３０５から出力されるフェーディング成分の複素共役をシンボルの単位で前記第２逆拡散器３０３から出力されるＤＣＣＨ受信信号と乗算してエラーを補償する。ＰＣＢ抽出器３１７は前記乗算機３１４から出力されるエラー補償ＤＣＣＨ受信信号からＰＣＢを抽出する。ビットエネルギー測定器３０９は前記チャネル推定器３０５から出力されるフェーディング成分と前記ＰＣＢ抽出器３１７から出力されるＰＣＢを用いてビットエネルギーＥｂを測定する。雑音測定器３１１は前記チャネル推定器３０５からのフェーディング成分と前記第３逆拡散器３０７からのパイロットチャネルのシンボル値を用いて雑音エネルギーＮｔを測定する。ＳＮＲ計算機３１３は前記雑音エネルギーＮｔとビットエネルギーＥｂからＳＮＲを計算する。ＥｂとＮｔの測定方法は“Forward Link Closed Loop Power Control Method for CDMA 2000-(Rev.1)”,Stein Lundby, Contribution to TR45.5.3.1./98.12.08.28.を参考した。
【００１８】
復号器３１９は前記ＰＣＢ抽出器３１７の出力を復号化し、ＣＲＣエラー検出器３２１は前記復号器３１９から出力される復号化信号に対するＣＲＣ検査を行う。前記ＣＲＣエラー検出器３２１の出力は真信号(True 1)又は偽信号(False 1)となる。前記ＤＣＣＨチャネルはＤＴＸモードで伝送されるため、受信機はフレームが伝送データを有する場合、フレームからＣＲＣを計算してフレームエラーが発生するか否かを判断する。ＤＴＸモードでＤＣＣＨ上のフレームデータの有無を判断する方法の詳細は韓国特許出願第９８−０４４９８号に開示されている。データ検出器３２３は前記ＣＲＣエラー検出器３２１から出力されるＣＲＣエラー検査結果とフレームデータを受信してオン／オフ制御信号をモデム制御器３２５に出力する。前記モデム制御器３２５は前記オン／オフ制御信号により動作して前記復号器３１９から受信される復号化データから制御メッセージを検出して制御メッセージバッファ３２７に貯蔵する。
【００１９】
前記受信機が閉循環電力制御のみを行う場合、閉循環電力制御器３１５はＳＮＲ計算機３１３から出力されるＰＣＢのＳＮＲと固定臨界値を比較してその結果に応じて電力制御を行う。かつ、前記受信機が外部循環電力制御と閉循環電力制御を行う場合は外部循環電力制御器３２９をさらに備える。前記外部循環電力制御器３２９は臨界値を決め、前記閉循環電力制御器３１５は前記臨界値を用いて閉循環電力制御を行う。前記外部循環電力制御器３２９はデータ検出器３２３からフレーへの存在有無を示すフラグ信号の受信時に動作し、ＣＲＣエラー検出器３２１から出力されるＣＲＣ検査結果から臨界値を決める。
【００２０】
図６を参照して前記逆方向リンク受信機における閉循環電力制御方法を説明する。ＳＮＲ計算機３１３は６０１段階で雑音測定器３１１で測定されたＮｔとビットエネルギー測定器３０９から測定されたＥｂによりＳＮＲを計算する。閉循環電力制御器３１５は前記ＳＮＲ計算機３１３からＳＮＲが入力されると、６０３段階で前記ＳＮＲと固定臨界値を比較する。前記ＳＮＲが前記臨界値より大きければ、前記閉循環電力制御器３１５は６０５段階に進んで電力減少命令(ＰＣＢ＝０)を移動局に送信し、前記ＳＮＲが前記臨界値より小さければ、６０７段階に進んで電力増加命令(ＰＣＢ＝１)を移動局に送信する。
【００２１】
図４は従来のＣＤＭＡ移動通信システムのＤＴＸモードにおける順方向リンク受信機の構成を示した図である。図４を参照して順方向リンク受信機の構成及び動作を説明する。二乗機４０１はサブチップの単位で受信信号を二乗する。累積機４０３は一つの電力制御グループ(ＰＣＧ)でサブチップエネルギーを合算する。前記累積機４０３の出力は雑音エネルギーとして推定される。整合フィルター４０５は前記入力信号をサブチップの単位でフィルタリングする。第１逆拡散器４０７は前記整合フィルター４０５の出力をＰＮ逆拡散して第２逆拡散器４０９、チャネル推定器４１１及び第３逆拡散器４１３に出力する。前記第３逆拡散器４１３は前記ＰＮ逆拡散信号のうち、パイロットチャネルの受信信号をWalsh符号で逆拡散する。累積機４１５は前記Walsh拡散信号のチップエネルギーを合算する。二乗機４１７は前記合算チップエネルギーを二乗してＳＮＲ計算機４１７に出力する。この際、前記二乗機４１７の出力はビットエネルギーとして推定される。
【００２２】
他の構成は図３の構成と同一であるが、参照符号のみは変更した。かつ、前記順方向リンク受信機は図６と同一の方式で閉循環電力制御を行う。
図５はＩＳ−９５標準案に応じてＤＴＸモードで送信される順方向リンク及び逆方向リンクのＤＣＣＨを示している。前記順方向リンクのＤＣＣＨは不連続的にデータを伝送し、データの存在有無に関わらず、続けてＰＣＢを伝送する。かつ、逆方向リンクでもデータはＤＣＣＨを通して不連続的に伝送される。逆方向リンクでは伝送するデータのない場合、パイロットチャネルを通してパイロットシンボル及びＰＣＢが伝送されるため、ＤＣＣＨはＰＣＢを伝送しない。
【００２３】
常時フレームを伝送するトラフィックチャネルの場合、受信機は所望のフレームエラー率(ＦＥＲ)を得るために外部循環電力制御を行う。しかしながら、ＤＣＣＨはＤＴＸモードで伝送するため、フレームの存在時のみ外部循環電力制御を行うことができる。
図７は一般的な外部循環電力制御方法を示した流れ図である。図３及び図７を参照して外部循環電力制御方法を説明する。外部循環電力制御器３２９は７０１段階でフレームデータの入力時にＣＲＣエラー検出器３２１から出力されるＣＲＣエラー検査結果に応じてフレームエラーが発生するか否かを判断する。その結果、フレームエラーが存在すると、データ検出器３２３からフレーム存在有無を示すフレーム存在有無フラグを受信する。前記フレーム存在有無フラグがフレームの存在を示すと、前記外部循環電力制御器３２３は７０３段階で臨界値を増加させる。一方、前記フレーム存在有無フラグがフレームの不在を示すと、前記外部循環電力制御器３２３は７０５段階で電力制御のための臨界値を減少させる。
【００２４】
外部循環電力制御方法と閉循環電力制御方法を同時に使用する場合、外部循環電力制御方法でフレームの単位で更新された臨界値は閉循環電力制御方法ではＳＮＲ基準値として用いられる。
図１８は非同期式(日本、ヨーロッパ)ＩＭＴ−２０００システムでＤＴＸモード伝送のＤＰＣＨ(Dedicated Physical Channel)を処理するための受信機を示した図である。図１８において、チャネル分離器１８０５は入力ＤＰＣＨからＤＰＣＣＨ(Dedicated Physical Control Channel)を分離する。チャネル推定器１８０９は前記チャネル分離器１８０５から出力されるＤＰＣＣＨからチャネル状態情報をパイロットシンボルを用いて求める。乗算機１８０６は前記チャネル分離器１８０５から出力されるＤＰＣＣＨフレームデータと前記チャネル推定器１８０９から出力されるチャネル状態情報信号を乗算する。ＳＮＲ測定器１８０７はパイロットシンボルを用いてパイロットエネルギーＥｂと雑音エネルギーＮｔを計算する。ビットエネルギー測定器１８１５はＤＰＤＣＨ(Dedicated Physical Data Channel)と前記ＤＰＣＣＨを受信してエネルギーを比較した後、その比較結果値をデータ検出器１８１９に出力する。他の構成は図３の構成と同一である。ヨーロッパ型のＩＭＴ−２０００システムが外部循環電力制御と閉循環電力制御を行う場合も上述した構成以外の構成及び動作は同一である。
【００２５】
【発明が解決しようとする課題】
上述したように、従来の外部循環電力制御方法は受信フレームにエラーが発生するか否かの判断に応じて動作するため、ＤＣＣＨチャネルのようにＤＴＸモードチャネルでフレームが存在しない場合には使用することができない。
したがって、ＤＴＸモードでフレームが伝送されない場合、以前フレームの伝送時の設定臨界値を使用することにより、フレーム伝送の再開時に前記以前の臨界値が現在のフレームをエラー無しに受信するための臨界値より高い場合は送信電力を浪費し、前記以前の臨界値が所望の臨界値より低い場合はフレームエラーが増加する。このようなフレームエラーの増加及び送信電力の浪費は通話品質の低下及び基地局の容量減少などの問題点を発生させる。
【００２６】
したがって、本発明の目的は、ＣＤＭＡ移動通信システムのＤＴＸモードでデータの存在有無に関わらず、外部循環電力制御を行う装置及びその方法を提供することにある。
本発明の他の目的は、ＣＤＭＡ移動通信システムのＤＴＸモードでＳＮＲに対するＦＥＲをテーブル化し、データの非伝送時に前記テーブルを参照してフレームエラーの存在有無を判断してデータの有無に関わらず、外部循環電力制御を行う装置及びその方法を提供することにある。
本発明のさらに他の目的は、ＣＤＭＡ移動通信システムのＤＴＸモードでデータサービスの形態に対するＦＥＲをテーブル化し、データの非伝送時に前記テーブルを参照してフレームエラーの存在有無を判断してデータの有無に関わらず、外部循環電力制御を行う装置及びその方法を提供することにある。
【００２７】
【課題を解決するための手段】
前記目的を達成するための本発明は、フレームデータが不連続的に伝送される専用制御チャネル(ＤＣＣＨ)のフレームデータ非伝送区間で外部循環電力制御を行う方法において、基地局から端末機に伝送されるＰＣＢのＳＮＲをフレーム区間で測定する過程と、前記測定ＳＮＲから前記フレームにエラーが存在するか否かを判断する過程と、前記フレームにエラーが存在する場合は閉循環電力制御臨界値を増加させ、前記フレームにエラーが存在しない場合には前記臨界値を減少させる過程とを備える。
前記目的を達成するための本発明は、フレームデータが不連続的に伝送されるＤＣＣＨのフレームデータ非伝送区間で外部循環電力制御を行う装置において、基地局から端末機に伝送されるＰＣＢのＳＮＲをフレーム区間で測定するＳＮＲ測定器と、前記測定ＳＮＲから前記フレームにエラーが存在するか否かを判断し、その結果に応じてフレームエラーインジケータを出力するフレームエラー検出器と、前記フレームエラーインジケータに応じて閉循環電力制御臨界値を調節する外部循環電力制御器とを備える。
【００２８】
【発明の実施の形態】
以下、本発明の望ましい実施形態を添付図面を参照して詳しく説明する。下記の説明において、本発明の要旨をぼかす公知の機能及び構成に対する詳細な説明は省略する。
本発明による外部循環電力制御方法はフレームの存在時に実際フレームエラーが発生する否かを判断して外部循環電力制御を行い、フレームの不在時にはフレームエラー有無を推定して外部循環電力制御を行う。すなわち、ＤＴＸモードで動作するＤＣＣＨのフレームデータ伝送区間のみならず、フレームデータ非伝送区間でも外部循環電力制御を続けて行うことができる。
【００２９】
図８は逆方向リンクのＤＴＸモードで外部循環電力制御を行う受信機の構成を示した図である。本発明の説明において、図３と同一の構成に対してはその説明を省略する。
図８を参照すれば、ＣＲＣエラー検出器８２１は復号器８１９から出力されるフレーム単位のデータにエラーが発生するか否かを判断してＣＲＣエラー検査結果をデータ検出器８２３及びフレームエラー検出器８２４に出力する。フレーム検出器８２２はフレームデータの存在有無を判断するためにＤＣＣＨのエネルギーを測定する。前記測定エネルギーが所定のレベルより大きければ、フレームデータが存在すると判断して前記データ検出器８２３に“１”設定のフレーム存在有無フラグを出力する。しかしながら、フレームが存在しない場合は“０”に設定される。前記ＣＲＣエラー検出器８２１からのフレームエラー値を受信し、前記フレーム検出器８２２からのフレーム存在有無フラグが“１”に設定されると、前記データ検出器８２３はオン／オフ制御信号をモデム制御器８２６に出力する。
【００３０】
ＳＮＲ計算機８１３は雑音測定器８０９から出力される雑音エネルギーＮｔとビットエネルギー検出器８１１から出力されるビットエネルギーＥｂを計算する。
前記フレームエラー検出器８２４は前記ＳＮＲ計算機８１３からのＳＮＲ、前記ＣＲＣエラー検出器８２１からのＣＲＣエラー検査結果値及び前記フレーム検出器８２２からのフレーム存在有無フラグメッセージを受信してフレームエラーの発生有無を判断する。その結果、フレームエラーが存在すると、前記フレームエラー検出器８２４はフレームエラーインジケータを外部循環電力制御器８２５に出力する。
前記外部循環電力制御器８２５は外部循環電力制御を行い、臨界値を閉循環電力制御器８１５に出力する。その後、前記閉循環電力制御器８１５は前記臨界値を用いて閉循環電力制御を行う。
【００３１】
図９は順方向リンクのＤＴＸモードの受信機の構成を示した図である。図９を参照すれば、復号器９２３はフレーム単位のデータをＣＲＣエラー検出器９２５及びモデム制御器９３３に出力する。前記ＣＲＣエラー検出器９２５は前記フレームデータのエラー有無を判断してＣＲＣエラー検査結果をデータ検出器９２７及びフレームエラー検出器９２９に出力する。フレーム検出器９２４はフレームデータの存在有無を判断するためにＤＣＣＨのエネルギーを測定する。前記測定エネルギーが所定のレベルより大きければ、前記フレーム検出器９２４はフレームデータが存在すると判断して“１”設定のフレーム存在有無フラグを前記データ検出器９２７に出力する。しかしながら、フレームが存在しない場合はフレーム存在有無フラグが“０”に設定される。前記ＣＲＣエラー検出器９２５からのフレームエラー値を受信し、前記フレーム検出器９２４からのフレーム存在フラグが“１”に設定されると、前記データ検出器９２７はオン／オフ制御信号をモデム制御器９３３に出力する。
【００３２】
ＳＮＲ計算機９１９はサブチップ単位の受信信号から二乗機９０５と累積機９０７により測定される雑音エネルギーＮｔと第３逆拡散器９１３の出力から累積機９１５と二乗機９１７により測定されるビットエネルギーＥｂを計算する。
前記フレームエラー検出器９２９は前記ＳＮＲ計算機９１９からのＳＮＲ、前記ＣＲＣエラー検出器９２５からのＣＲＣエラー検査結果値及び前記フレーム検出器９２４からのフレーム存在有無フラグメッセージを受信してフレームエラーの発生有無を判断する。その結果、フレームエラーが存在すると、前記フレームエラー検出器９２９はフレームエラーインジケータを外部循環電力制御器９３１に出力する。
前記外部循環電力制御器９３１は外部循環電力制御を行い、臨界値を閉循環電力制御器９２１に出力する。その後、前記閉循環電力制御器９２１は前記臨界値を用いて閉循環電力制御を行う。
【００３３】
本発明によるフレームエラー検出器は多数の方法で動作することができる。以下、本発明による受信機におけるフレームエラー検出器の動作及び構造を図１０を参照して説明する。
図１０Ａは本発明の実施形態によるフレームエラー検出器の入出力を示した図であり、図１０Ｂはフレームエラー検出器の詳細構成を示した図である。
図１０Ａを参照すれば、図８又は図９のフレームエラー検出器(８２４又は９２９)はＳＮＲ、ＣＲＣエラー検査結果及びフレーム存在有無フラグメッセージを入力してフレームエラーの有無を示すフレームエラーインジケータを出力する。
【００３４】
図１０Ｂにおいて、前記フレームエラー検出器はフレームエラー推定器１００３、乱数発生器１００１、ルックアップテーブル１００４及びスイッチ１００５を備える。前記ルックアップテーブル１００４は図１４ＢのようにＳＮＲに対するＦＥＲをテーブル化して貯蔵する。前記乱数発生器１００１は前記フレームエラー推定器１００３の制御下で任意の乱数値(ＮR)を発生させる。前記乱数値は図１４Ａに示したように、０から１の範囲値である。前記フレームエラー推定器１００３はバッファ(図示せず)を備え、ＳＮＲ計算機(８１３又は９１９)から出力されるＳＮＲを受信して所定のオフセット値を加算した後、前記ルックアップテーブル１００４から前記ＳＮＲ結果値に該当するＦＥＲを読み出して前記バッファに貯蔵する。その後、前記フレームエラー推定器１００３は前記乱数発生器１００１を制御して任意の乱数を発生させ、その発生乱数値が前記バッファに貯蔵されたＦＥＲより大きいかを判断する。前記乱数値が前記ＦＥＲより大きければ、前記フレームエラー推定器１００３はフレームエラーが発生しないと判断してフレームエラーメッセージ“０”を外部循環電力制御器(８２２又は９２４)に出力する。前記乱数値が前記ＦＥＲより小さければ、前記フレームエラー推定器１００１はフレームエラーが発生すると判断してフレームエラーメッセージ“１”を外部循環電力制御器に出力する。前記スイッチ１００５は前記フレーム検出器(８２３又は９２７)から出力されるフレーム存在有無フラグメッセージによりスイッチングされる。したがって、前記フレーム存在有無フラグメッセージが１の場合、前記スイッチ１００５はＣＲＣエラー検査結果値にスイッチングされ、前記フレーム存在有無フラグメッセージが０の場合はフレームエラー推定器１００３にスイッチングされる。
【００３５】
図１１は図１０Ｂに示したスイッチを駆動するためのデータ検出器の動作を示した流れ図である。
図１１を参照すれば、１１０１段階でデータ検出器８２３はフレーム検出器８２２からフレームエネルギーが入力されるかを検査する。前記フレームエネルギーが入力されると、データ検出器８２３は１１０３段階で前記フレームエネルギーが所定のレベル以上であるかを判断する。その結果、前記フレームエネルギーが所定のレベル以上の場合、前記データ検出器８２３は１１０５段階で“１”設定のフレーム存在有無フラグメッセージをスイッチ１００５に出力する。しかしながら、前記フレームエネルギーが所定のレベル未満の場合、前記データ検出器８２３は１１０７段階で“０”に設定されたフレーム存在有無フラグメッセージをスイッチ１００５に出力する。
【００３６】
図１２Ａ及び図１２Ｂは図１０Ｂに示したフレームエラー推定器１００３で一つのフレームに対するＳＮＲの測定方法を示している。第１実施形態において、１２０１段階で雑音エネルギーＮｔとビットエネルギーＥｂがＰＣＧの単位で入力されると、フレームエラー推定器１００３は１２０３段階で前記ＮｔとＥｂを用いて一つのフレームの全体に対して平均値を求めた後、１２０５段階でＥｂ，aveとＮｔ，aveを用いて平均ＳＮＲ(ＳＮＲ，ave)を計算する。第２実施形態においては、前記フレームエラー推定器１００３が１２１３段階でＰＣＢの単位でＳＮＲ(＝Ｅｂ／Ｎｔ)を計算した後、１２１５段階では一つのフレームに対して平均ＳＮＲ(ＳＮＲ,ave)を求める。前記第１及び第２実施形態の平均ＳＮＲは次の式１、式２により計算される。
【００３７】
【数１】
0003949892.tif 000002
【数２】
0003949892.tif 000003
ここで、Ｎは一つのフレームにおけるＰＣＧの数を示す。
一つのフレームのＳＮＲは上述した方法とは異なる方法でも計算が可能である。
【００３８】
伝送されたフレームのない場合、フレームエラーは後述する各種の方法でも推定することができる。
図１３は伝送されたフレームのない場合のフレームエラー推定方法の実施形態を示した流れ図である。図１３を参照すれば、フレームエラー検出器８２４は１３０１段階でＥｂ／Ｎｔにより計算されるＳＮＲにオフセット値を加算して最終のＳＮＲを求める。ここで、Ｎｔは雑音測定器８０９によりＡＷＧＮ(additive white gaussian noise)から測定される雑音エネルギーであり、Ｅｂはビットエネルギー測定器８１１により測定されるビットエネルギーである。フレーム単位のＳＮＲがＡＷＧＮにおけるＳＮＲと近似的に同一であると仮定し、前記ＡＷＧＮにおけるＳＮＲに該当するＦＥＲをルックアップテーブルから求める。この場合、前記測定ＳＮＲはルックアップテーブルのＳＮＲとは異なるが、その差異を補正する。前記補正値は送信機から予め伝送されることができる。
【００３９】
前記フレームエラー検出器８２４は１３０３段階で図１０Ｂに示したルックアップテーブル１００４からＳＮＲに該当するＦＥＲを読み出してバッファに貯蔵する。ルックアップテーブルでは、ＦＥＲをＳＮＲに対してリスト化する。ここで、前記ＳＮＲ又はＦＥＲは所定の間隔で配列されることができる。前記フレームエラー推定器１００３は１３０５段階で乱数発生器１００１を制御して乱数を発生させる。前記乱数発生器１００１からの乱数値が入力されると、前記フレームエラー推定器１００３は１３０７段階に進んで前記乱数値とＦＥＲを比較する。前記乱数値が前記ＦＥＲより小さい場合、前記フレームエラー推定器１００３は１３０９段階でフレームエラーメッセージ“１”を外部循環電力制御器８２５に出力し、前記乱数値が前記ＦＥＲより大きい場合は１３１１段階でフレームエラーメッセージ“０”を外部循環電力制御器８２５に出力する。
【００４０】
図１５は伝送されたフレームのない場合のフレームエラー推定方法の他の実施形態を示した流れ図である。ここでは、フレームの単位で測定されるＳＮＲと固定臨界値又は外部受信臨界値を比較してフレームエラーを推定する。すなわち、前記測定ＳＮＲが前記臨界値より小さい場合、フレームエラーが発生すると判断し、フレームエラーメッセージは“１”となる。一方、前記測定ＳＮＲが前記臨界値より大きい場合はフレームエラーが発生しないと判断し、フレームエラーメッセージは“０”となる。このような比較は１４０１段階で行われる。前記フレームエラー推定器１００３は前記１４０３、１４０５段階で推定された結果を外部循環電力制御器８２５に出力する。
【００４１】
図１６は伝送されたフレームのない場合のフレームエラー推定方法のさらに他の実施形態を示した流れ図である。フレームエラー検出器８２４は１５０１段階でＰＣＧの単位で測定されたＳＮＲと第１臨界値又は外部受信臨界値を比較してフレームエラーを推定する。前記フレームエラー検出器８２４は１５０３段階で一つのフレーム内でＰＣＧの単位で測定したＳＮＲが第１臨界値より小さい回数を測定する。前記フレームエラー検出器８２４は１５０５段階で一つのフレーム内でＰＣＧの単位でＳＮＲの測定が完了すると、１５０７段階で前記計数値と第２臨界値を比較する。前記計数値が前記第２臨界値より大きければ、前記フレームエラー検出器８２４は１５０９段階でフレームエラーが発生すると判断してフレームエラーメッセージ“１”を外部循環電力制御器８２５に出力する。一方、前記計数値が前記第２臨界値より大きくなければ、前記フレームエラー検出器８２４は１５１１段階でフレームエラーが発生しないと判断してフレームエラーメッセージ“０”を外部循環電力制御器８２５に出力する。前記臨界値は内装値を使用することができ、予め送信機から伝送されることもできる。
【００４２】
図１７はＤＴＸモードのゲーティング現象を示している。８−１は送信ゲーティングのない場合、８−３は１／２ゲーティングの場合、８−５は１／４ゲーティングの場合を示す。順方向リンクのゲーティングでＰＣＢも該当ゲーティング率でゲーティングされる。ゲーティングが発生する場合は計算するＰＣＢの数が減少するということを除いてはゲーティングの発生しない場合と同一である。したがって、上述した外部循環電力制御方法、すなわち、フレームの存在時のみに対して実際フレームのエラー有無を用いて外部循環電力制御方法を適用して臨界値を変更する方法、フレームの存在時は実際フレームのエラー有無を用いて外部循環電力制御を行い、フレームの不在時はフレームのエラー有無を推定して外部循環電力制御を行う方法を適用することができる。または、外部循環電力制御をゲーティングモードに適用しないこともある。
【００４３】
図２０は非同期式(日本、ヨーロッパ)ＩＭＴ−２０００システムでＤＰＣＨがＤＴＸモードで伝送される場合を示している。ＤＰＣＨはデータを伝送するＤＰＤＣＨ及びＤＰＤＣＨを復旧するＤＰＣＣＨを備える。ＤＰＤＣＨは論理制御のためのＤＣＣＨ及び音声情報のためのＤＴＣＨを備える。ＤＰＣＣＨはチャネル情報を得るためのパイロットシンボル及び電力制御のためのＴＰＣ(Transmission Power Control)を備える。図２０において、(ｉ)はＤＰＤＣＨとＤＰＣＣＨが出力される場合を示し、(ii)はＤＣＣＨ情報が伝送されない場合を示し、(iii)は音声情報のＤＴＣＨが伝送されない場合を示し、(iv)はＤＰＤＣＨは伝送されず、ＤＰＣＣＨのみが伝送される場合を示す。これにより、ＤＰＣＣＨは続けて伝送されるということができる。したがって、上述したＤＰＣＣＨのパイロットシンボルを用いてＤＴＸモードでも連続的な外部循環電力制御を行うことができる。
【００４４】
図１９は非同期式ＩＭＴ−２０００システムでＤＴＸモードで送信されるＤＰＣＨに対して連続的な外部循環電力制御を行うための受信機の構造を示した図である。前記受信機は図１８とはフレームエラー検出器１９２５及び外部循環電力制御器１９２７をさらに備えるということが異なる。前記フレームエラー検出器１９２５はＳＮＲ、ＣＲＣエラー検査結果及びＤＰＤＣＨの存在有無に対する情報を受信して外部循環電力制御器１９２７にフレームエラー情報を出力する。前記フレームエラー検出器１９２５の動作は図１０及び図１１に示し、前記外部循環電力制御器１９２７の動作は図７に示した。
【００４５】
【発明の効果】
上述したように、本発明はＤＴＸモードでデータの非伝送時にも外部循環電力制御が可能なので、フレームデータの非伝送区間でも正確な閉循環電力制御のための臨界値を得ることができる。
本発明の他の利点は閉循環電力制御のための正確な臨界値を得るため、送信電力の浪費を防止し、フレームエラーを低減することにある。
以上、本発明の実施形態を添付図面を参照して説明したが、本発明はこの特定の実施形態に限るものでなく、各種の変形及び修正が本発明の範囲を逸脱しない限り、該当分野における通常の知識を持つ者により可能なのは明らかである。
【図面の簡単な説明】
【図１】  従来のＣＤＭＡ移動通信システムのＤＴＸモードにおける順方向専用制御チャネル(ＤＣＣＨ)送信機の構成を示した図である。
【図２】  従来のＣＤＭＡ移動通信システムのＤＴＸモードにおける逆方向リンク送信機の構成を示した図である。
【図３】  従来のＣＤＭＡ移動通信システムのＤＴＸモードにおける逆方向リンク受信機の構成を示した図である。
【図４】  従来のＣＤＭＡ移動通信システムのＤＴＸモードにおける順方向リンク受信機の構成を示した図である。
【図５】  ＩＳ−９５ＣでＤＴＸモードで送信される順方向及び逆方向ＤＣＣＨを示した図である。
【図６】  閉循環電力制御方法を示した流れ図である。
【図７】  外部循環電力制御方法を示した流れ図である。
【図８】  本発明の実施形態によるＤＴＸモードで外部循環電力制御を行う逆方向リンク受信機を示した図である。
【図９】  本発明の実施形態によるＤＴＸモードで外部循環電力制御を行う順方向リンク受信機を示した図である。
【図１０】  ＤＴＸモードで外部循環電力制御を可能にする図８のフレームエラー検出器の構成を示した図である。
【図１１】  ＤＴＸモードでフレームエネルギーを用いて持続的に外部循環電力制御を行うためのデータ検出器の動作を示した流れ図である。
【図１２】  電力制御のためのＳＮＲ測定方法を示した流れ図である。
【図１３】  本発明の第１実施形態によるフレーム非伝送時のフレームエラー推定方法を示した流れ図である。
【図１４】  図１４Ａは本発明の第１実施形態に応じて発生する乱数値の範囲を示した図であり、図１４Ｂは本発明の第１実施形態によるＳＮＲに対するＦＥＲルックアップテーブルを示した図である。
【図１５】  本発明の第２実施形態によるフレーム非伝送時のフレームエラー推定方法を示した流れ図である。
【図１６】  本発明の第３実施形態によるフレーム非伝送時のフレームエラー推定方法を示した流れ図である。
【図１７】  ＤＴＸモードのゲーティング(gating)を示した図である。
【図１８】  ＤＴＸモードにおける従来の非同期式ＤＰＣＨ受信機を示した図である。
【図１９】  本発明の実施形態によるＤＴＸモードで外部循環電力制御を行うための非同期式ＤＰＣＨ受信機を示した図である。
【図２０】  本発明によるＤＴＸモードで非同期式フレームを伝送するＤＰＣＨの構造を示した図である。
【符号の説明】
８０５…チャネル分離器
８０７… ＳＮＲ測定器
８０９…雑音測定器
８１１…ビットエネルギー検出器
８１３…ＳＮＲ計算機
８１５…閉循環電力制御器
８１９…復号器
８２１…ＣＲＣエラー検出器
８２２…フレーム検出器
８２３…データ検出器
８２４…フレームエラー検出器
８２５…外部循環電力制御器
８２６…モデム制御器
９０５，９１７…二乗機
９０７，９１５…累積機
９１３…第３逆拡散器
９１９…ＳＮＲ計算機
９２１…閉循環電力制御器
９２３…復号器
９２４…レーム検出器
９２５…ＣＲＣエラー検出器
９２７…データ検出器
９３１…外部循環電力制御器
９３３…モデム制御器
【図１Ａ】
0003949892.tif 000004
【図１Ｂ】
0003949892.tif 000005
【図２】
0003949892.tif 000006
【図３】
0003949892.tif 000007
【図４】
0003949892.tif 000008
【図５】
0003949892.tif 000009
【図６】
0003949892.tif 000010
【図７】
0003949892.tif 000011
【図８】
0003949892.tif 000012
【図９】
0003949892.tif 000013
【図１０Ａ】
0003949892.tif 000014
【図１０Ｂ】
0003949892.tif 000015
【図１１】
0003949892.tif 000016
【図１２Ａ】
0003949892.tif 000017
【図１２Ｂ】
0003949892.tif 000018
【図１３】
0003949892.tif 000019
【図１４Ａ】
0003949892.tif 000020
【図１４Ｂ】
0003949892.tif 000021
【図１５】
0003949892.tif 000022
【図１６】
0003949892.tif 000023
【図１７】
0003949892.tif 000024
【図１８】
0003949892.tif 000025
【図１９】
0003949892.tif 000026
【図２０】
0003949892.tif 000027